(57)【要約】【課題】  ネット等の張設幕体を支持できると共に、衝突の危険性を緩和できる鳥獣用飼育かごを提供せんとする。【解決手段】  側周面及び天面に幕体を張設して屋外に囲いを形成するものであって、側周面幕体３Ａから離れて外周に適宜間隔で立設した支柱１に、天面幕体３Ｂと略同一高さで腕２を幕体側に突設したこと、各腕２の先方部から線体を垂下し、その下端部を設置面に止着固定すると共に、天面幕体３Ｂ下に対向する腕２の先方部間に線体を架設連繋したこと、線体と対面する幕体の部分とを係止し、幕体を線体で支持したことを特徴とする。【選択図】  図１
2005080576.tif 000002
【特許請求の範囲】
【請求項１】
側周面及び天面に幕体を張設して屋外に囲いを形成するものであって、側周面幕体から離れて外周に適宜間隔で立設した支柱に、天面幕体と略同一高さで腕を幕体側に突設したこと、各腕の先方部から線体を垂下し、その下端部を設置面に止着固定すると共に、天面幕体下に対向する腕の先方部間に線体を架設連繋したこと、線体と対面する幕体の部分とを係止し、幕体を線体で支持したことを特徴とする鳥獣用飼育かご。
【請求項２】
天面幕体下に架設連繋した線体の交叉部を係止した請求項１記載の鳥獣用飼育かご。
【請求項３】
線体の張力を調節する手段を有する請求項１又は２記載の鳥獣用飼育かご。
【請求項４】
幕体がネットである請求項１、２又は３記載の鳥獣用飼育かご。
【請求項５】
線体がワイヤーである請求項１、２、３又は４記載の鳥獣用飼育かご。
【発明の詳細な説明】
【技術分野】
【０００１】
本発明は、鳥獣用飼育かごに関するものであり、一般的な鳥かご等の独立した小さなものでなく、屋外に設置し、数１０ｍ巾の大きさを有する飼育かごに適合するものに関する。
【背景技術】
【０００２】
従来の飼育かごは、主に屋内に置かれ、かご自体が独立した仕切り空間を有し、小さいものは移動・持ち運び可能であるものが一般的である。
そして、構造として、底面を有し、側周面及び天井面をネット或いは格子で仕切り空間を形成するものである。
【０００３】
又、屋外に設置するものとしては、動・植物を鳥獣から守る防鳥獣用の柵やネットがあり、これ等は適宜間隔で立設した支柱へ直接ネットやシートを支持して張設しているのである。
【特許文献１】特開２００２ー２６２７５５
【特許文献２】特開２００１ー０７８６４８
【発明の開示】
【発明が解決しようとする課題】
【０００４】
本発明は、大規模な飼育かごを形成し、かご内で飼育する鳥獣は、恰も自然の中で生息しているが如くの環境を提供せんとすることを目的とする。
したがって、かご内を自由に動き回れる大きさのため、勢い余って周囲或いは天面の仕切り構築材に衝突し、不測の怪我等を負うことが心配される。
特に、安全性の高いネットであっても、そのネットを支持する支柱等の支持材は、強度等を維持するため鋼材を用いることとなり、支柱等に衝突する危険が高いのである。
【０００５】
本発明は斯かる点に鑑み、ネット等の張設幕体を支持できると共に、衝突の危険性を緩和できる鳥獣用飼育かごを提供せんとするものである。
【課題を解決するための手段】
【０００６】
本発明の鳥獣用飼育かごは、側周面及び天面に幕体を張設して屋外に囲いを形成するものであって、側周面幕体から離れて外周に適宜間隔で立設した支柱に、天面幕体と略同一高さで腕を幕体側に突設したこと、各腕の先方部から線体を垂下し、その下端部を設置面に止着固定すると共に、天面幕体下に対向する腕の先方部間に線体を架設連繋したこと、線体と対面する幕体の部分とを係止し、幕体を線体で支持したことを特徴とするものである。
【０００７】
側周面及び天面に張設する幕体の支持を直接支柱により行わず、支柱より突出した腕の先方部と設置面とに張設した線体で側周面幕体を支持し、腕間を架設連繋した線体で天面幕体を支持するものとし、張った線体には撓みが生じるため、鳥獣が衝突しても衝撃を緩和する作用を奏する。
【０００８】
天面幕体上の線体の交叉部を互いに係止することで、互いに張力を得られ、支持力を増大できる作用を奏し、線体の張力を調節可能とすれば、幕体の張力をも同時に調節できる作用を奏する。
そして、幕体をネットとし、線体をワイヤーとし、弾性を有する素材とするのが最適である。
【発明の効果】
【０００９】
以上のように、本発明は側周面及び天面を形成する幕体を支柱でなく、張り巡らせた線体で支持するものである。
したがって、支柱のように広くかつ硬い面に比べ、線体は狭くかつ張った時に撓み易いものであるから、幕体に鳥獣が衝突しても幕体と共に線体もその衝撃を前後・左右や任意の方向へ撓んで吸収できる効果を有し、かごへの衝突による鳥獣の怪我を防止するものである。又、線体は巾が狭いから支柱に比べ直接衝突する危険度も少なくなる効果がある。
【００１０】
周囲の線体は、上部は支柱から突設した腕の先部と設置面に固定して、上下位置を決定しているため、支柱とは腕の長さ分の間隔を有し、線体の撓みによっても支柱に衝突しない腕の長さを設定すれば、上記効果を得られる線体を配設できるのである。
【００１１】
他方、天面は金属製等の硬い横桟等の代わりに、線体で天面幕体を支承してあるため、線体は撓んで衝撃を吸収するため、安全な環境を提供できる効果を有するのである。
そして、線体の張力を加減することで撓みの大きさを調節し、鳥獣の耐え得る衝撃に設定できる効果を得られる。
【００１２】
天面に架設連繋した線体の交叉部を係止することで、天面幕体の支承力を増大する効果を得られる。そして、幕体にネットを、線体にワイヤーを選択すれば、夫々に弾性があり、衝撃を緩和できると共に、種類も豊富で、鳥獣の種類や飼育目的、かごの大きさに応じた選択を容易・確実に行える効果を有する。
【発明を実施するための最良の形態】
【００１３】
本発明の一実施の形態を図面に基づいて説明する。
図１は要部縦断正面図、図２は簡略化した平面図であり、縦横が８０ｍ・４０ｍ、高さが１５ｍの大きさで側周面及び天面に幕体を張り巡らしたかごを形成するものである。
【００１４】
かごの周囲より離れた外側に支柱１、１…を定間隔で立設し、各支柱１の上端部より腕２をかご側に向かって突設してある。
腕２はかごの側周面幕体３Ａの上端部及び天面幕体３Ｂと略同一高さに位置するものとし、補強腕１１の補助を得て支柱１と一体的に連結されている。
支柱１は後方に補助支柱１２を有し、連結桟１３、１３…を渡設して強固に設置されている。
支柱１、補助支柱１２、腕２等は強度を有する、例えば鋼材で形成され、支柱１及び補助支柱１２は基礎９に埋設固定される。
【００１５】
腕２の先部と設置面ＧＬとの間、及び対向する腕２、２間には線体であるワイヤー４が繋設してあり、腕２、２間に架設したワイヤー４、４…の上に覆設した恰好の天面幕体３Ｂを支承し、一方、側周面幕体３Ａの外側に垂下したワイヤー４、４…は設置面ＧＬに固定したアンカー５に固着して張設し、ワイヤー４と天面幕体３Ｂ及び側周面幕体３Ａとの対面部分を金具６Ａ、６Ａ…で係止してある（図３）。
又、係止は幕体に袋状部を連続し又は部分的に設け、線体を挿通する構成でもよい。
【００１６】
側周面又は３Ａ及び天面幕体３Ｂにはネットが最適であり、弾性のある合成樹脂製が好ましい。
ワイヤー４は対向する腕２、２間部分と垂下する部分とを一本で構成し、腕２の先部には、例えば溝ローラ７等を設け（図４）、ワイヤー４の曲部の保護と離脱を防止するのが望ましく、ワイヤー４は幕体を支承するに充分な強度が必要である。
【００１７】
図５は、天面における縦横に渡設したワイヤー４、４が交叉する部分を金具６Ｂで連結したもので、ワイヤー４、４での幕体３の支承力を高めることができる。
又、図６はワイヤー４の張力を調整する手段を備える一例であり、アンカー５を経たワイヤー４の端部を巻き取りローラ８に巻き付けたもので、巻き取りローラ８を回動・固定することで調整できるものである。
【図面の簡単な説明】
【００１８】
【図１】本発明の一実施の形態を示す要部縦断正面図である。
【図２】本発明の一実施の形態を示す簡略化した平面図である。
【図３】幕体と線体の連係部分を示す断面図である。
【図４】腕の先方部の他の実施の形態を示す正面図である。
【図５】線体の交叉部の連係部分を示す断面図である。
【図６】アンカー部の他の実施の形態を示す正面図である。
【符号の説明】
【００１９】
１  支柱
２  腕
３Ａ  側周面幕体
３Ｂ  天面幕体
４  ワイヤー
５  アンカー
６Ａ、６Ｂ  金具
７  溝ローラ
８  巻き取りローラ
１２  補助支柱
【図１】
2005080576.tif 000003
【図２】
2005080576.tif 000004
【図３】
2005080576.tif 000005
【図４】
2005080576.tif 000006
【図５】
2005080576.tif 000007
【図６】
2005080576.tif 000008